(57)【要約】【課題】  本発明は、１度購入すれば何度も使用でき、使い捨てされることのない経済面及び環境面に優れた緊急用充電器を提供する。【解決手段】  本緊急用充電器１は、箱形の本体２と、本体２内に収納されたリチウムイオン電池３と、リチウムイオン電池３を充電する充電制御部４（充電手段）と、本体２を携帯用機器に接続することにより、携帯用機器のバッテリを充電するように、充電制御部４によって充電されたリチウムイオン電池３を放電させる定電圧出力部５（放電手段）とを有する。【選択図】  図２
2007288953.tif 000002
【特許請求の範囲】
【請求項１】
携帯用機器のバッテリを緊急時に充電するために用いられる緊急用充電器において、
本体と、
その本体内に収納されたリチウムイオン電池と、
そのリチウムイオン電池を充電する充電手段と、
前記本体を前記携帯用機器に電気的に接続することにより、前記携帯用機器のバッテリを充電するように、前記充電手段によって充電されたリチウムイオン電池を放電させる放電手段と、
を有することを特徴とする緊急用充電器。
【請求項２】
前記リチウムイオン電池に電気的に接続された白色発光ダイオードを備え、前記リチウムイオン電池の容量の残量を明るさによって表示する点灯表示部を有することを特徴とする請求項１に記載の緊急用充電器。
【発明の詳細な説明】
【技術分野】
【０００１】
本発明は、携帯電話、ＰＨＳ（Personal Handy Phone System）、ＰＤＡ（Personal Digital Assistant）、携帯情報端末、携帯型プレーヤー、デジタルカメラ等の携帯用機器を緊急時に充電するために用いられる緊急用充電器に関し、特に、リチウムイオン電池を用いた緊急用充電器に関する。
【背景技術】
【０００２】
一般に、携帯電話等の携帯用機器を使用する場合、携帯用機器本体に内蔵された標準バッテリーを電源として使用している。標準バッテリーの充電状態は、モニター画面の電池アイコン等で確認することができ、バッテリー容量の残量を確認しながら使用することができる。しかし、寿命が近づいたバッテリーを使用した場合、バッテリー容量の低下速度が著しく、使用可能時間が極端に短くなり使用できなくなることがある。また、正常なバッテリーを使用した場合でも、バッテリー容量が少ないときに長時間の使用をするとバッテリー容量が著しく低下して使用ができなくなる場合がある。
【０００３】
上記の対策として、例えば、乾電池や自動車のシガーライターソケットから充電電源を受けて使用を可能にするための緊急用充電器がコンビニエンスストアや携帯電話ショップ等で販売されている（以下、従来例１という）。
【０００４】
また、特許文献１には、携帯電話ストラップに取り付けられた取り外し可能なマスコットの中に、携帯電話の簡易充電器を収納した携帯電話用ストラップ型緊急充電器が提案されている。簡易充電器は、携帯電話の底部にある多用途用接続コネクターに適合する出力コネクタープラグと、ボタン型リチウム電池を収納した小型ケースと、この両者の間を接続する定電流充電回路と、これらを収容するケースとからなる。この携帯電話用ストラップ型緊急充電器によれば、携帯電話本体に内蔵の標準バッテリーの容量が低下して通話ができなくなった時、緊急用としていつでもどこでもすぐに使用することができる、としている（以下、従来例２という）。
【特許文献１】特開２００５−３０４２１７号公報
【発明の開示】
【発明が解決しようとする課題】
【０００５】
従来例１では、バッテリー容量の低下による使用不可は予期せぬときに発生するものであり、その発生場所もまちまちである。例えば発生場所が市街地であれば、緊急充電器を容易に購入することができるが、郊外やへんぴな場所であれば購入することができず、携帯用機器を使用できなくなってしまうといった課題があった。
【０００６】
また、予期せぬときに発生する事態のために常に緊急用充電器を所持することも実際には困難であるといった課題がある。このため、緊急用充電器を何度も購入する必要があり経済性に欠け、また、使用後は使い捨てされるため、環境保護上問題があるという課題があった。
【０００７】
従来例２では、マスコットの中に収納された簡易充電器の容量がなくなれば、新たな充電器を購入しなければならず、従来例１と同様の課題があった。
【０００８】
本発明は、上記課題を解決するためになされたものであり、１度購入すれば何度も使用でき、使い捨てされることのない経済面及び環境面に優れた緊急用充電器を提供することを目的とする。
【課題を解決するための手段】
【０００９】
本発明の緊急用充電器は、携帯用機器のバッテリを緊急時に充電するために用いられる緊急用充電器において、本体と、その本体内に収納されたリチウムイオン電池と、そのリチウムイオン電池を充電する充電手段と、前記本体を前記携帯用機器に電気的に接続することにより、前記携帯用機器のバッテリを充電するように、前記充電手段によって充電されたリチウムイオン電池を放電させる放電手段とを有することを特徴とするものである。
【００１０】
前記リチウムイオン電池に電気的に接続された白色発光ダイオードを備え、前記リチウムイオン電池の容量の残量を明るさによって表示する点灯表示部を有してもよい。
【発明の効果】
【００１１】
本発明の緊急用充電器によれば、次のような優れた効果を奏する。
【００１２】
（１）本体内に収納されたリチウムイオン電池を充電することができるので、１度購入すれば何度も使用でき、使い捨てされることがないので、経済面及び環境面に優れた緊急用充電器を提供することができる。
【００１３】
（２）リチウムイオン電池を使用しているので、電力を安定して出力でき、装置の小型化を図ることができる。
【発明を実施するための最良の形態】
【００１４】
以下、本発明の実施の形態について図面を参照して説明する。図１は本発明の実施形態例に係る緊急用充電器を示す斜視図、図２は、その構成を示すブロック図である。
【００１５】
図１及び図２に示すように、本発明の実施形態例に係る緊急用充電器１は、箱形の本体２と、本体２内に収納されたリチウムイオン電池３と、リチウムイオン電池３を充電する充電制御部４（充電手段）と、本体２を携帯用機器に接続することにより、携帯用機器のバッテリを充電するように、充電制御部４によって充電されたリチウムイオン電池３を放電させる定電圧出力部５（放電手段）とを有する。
【００１６】
本体２の背面側には、携帯用機器のバッテリを充電するためのアダプターが接続される第１のコネクタ部６が設けられ、本体２の正面側には携帯用機器の接続端子部に接続される第２のコネクタ部７が設けられている。本体２の正面側には、第２のコネクタ部７を覆う蓋部８が装着される。
【００１７】
また、本体２の上面には、リチウムイオン電池３に電気的に接続された白色発光ダイオード９を備え、リチウムイオン電池３の容量の残量を明るさによって表示する点灯表示部１０が設けられている。
【００１８】
リチウムイオン電池３と白色発光ダイオード９との間には、点灯用ボタン１１が設けられ、点灯用ボタン１１を押すことにより、リチウムイオン電池３と白色発光ダイオード９とが電気的に接続され、点灯表示部１０の明るさにより、リチウムイオン電池３の容量の残量を知ることができる。
【００１９】
白色発光ダイオード９は輝度が高いため、点灯表示部１０が急激に暗くなれば、リチウムイオン電池３の容量の残量が少ないことが明確にわかる。
【００２０】
使用する白色発光ダイオード９は１個でも複数個でもよい。また、白色発光ダイオード９としては、例えば、青色ＬＥＤチップと黄色の蛍光体を組み合わせたもの、紫外線ＬＥＤチップあるいは紫色ＬＥＤチップのいずれかと赤、緑、青各色の蛍光体を組み合わせてもの、赤、緑、青各色のＬＥＤチップを組み合わせてものなどがある。
【００２１】
図３（Ａ）及び（Ｂ）は、本発明の実施形態例に係る緊急用充電器１の使用状態を説明するための説明図である。
【００２２】
図３（Ａ）及び（Ｂ）に示すように、本発明の実施形態例に係る緊急用充電器１は、例えば、携帯電話１２のストラップ１３に取り付けられる。
【００２３】
使用者が点灯用ボタン１１を押して、点灯表示部１０が暗い場合には、リチウムイオン電池３の容量の残量が少なくなっているので、図３（Ａ）に示すように、本体２の第１のコネクタ部６に携帯電話１２のバッテリを充電するためのアダプター１４を接続し、本体２内のリチウムイオン電池３を充電する。
【００２４】
携帯電話１２機のバッテリの容量が少なくなっている場合、図３（Ｂ）に示すように、本体２の第２のコネクタ部７を携帯電話１２の接続端子部１２ａに接続して、携帯電話１２のバッテリを充電する。
【００２５】
本発明の実施形態例に係る緊急用充電器１によれば、本体２内に収納されたリチウムイオン電池３を充電することができるので、１度購入すれば何度も使用でき、使い捨てされることがないので、経済面及び環境面に優れた緊急用充電器１を提供することができる。
【００２６】
また、リチウムイオン電池３を使用しているので、電力を安定して出力でき、装置の小型化は図ることができる。
【００２７】
本発明は、上記実施の形態に限定されることはなく、特許請求の範囲に記載された技術的事項の範囲内において、種々の変更が可能である。  
【産業上の利用可能性】
【００２８】
本発明の実施形態例に係る緊急用充電器１は、携帯電話、ＰＨＳ（Personal Handy Phone System）、ＰＤＡ（Personal Digital Assistant）、携帯情報端末、携帯型プレーヤー、デジタルカメラ等の携帯用機器を緊急時に充電するために用いられる。
【図面の簡単な説明】
【００２９】
【図１】本発明の実施形態例に係る緊急用充電器を示す斜視図である。
【図２】本発明の実施形態例に係る緊急用充電器の構成を示すブロック図である。
【図３】（Ａ）及び（Ｂ）は、本発明の実施形態例に係る緊急用充電器の使用状態を説明するための説明図である。
【符号の説明】
【００３０】
１：緊急用充電器
２：本体
３：リチウムイオン電池
４：充電制御部（充電手段）
５：定電圧出力部（放電手段）
６：第１のコネクタ部
７：第２のコネクタ部
８：蓋部
９：白色発光ダイオード
１０：点灯表示部
１１：点灯用ボタン
１２：携帯電話
１３：ストラップ
１４：アダプター
【図１】
2007288953.tif 000003
【図２】
2007288953.tif 000004
【図３】
2007288953.tif 000005